(57)【特許請求の範囲】
【請求項１】
映画やビデオ等の作品を鑑賞可能な座席に設置され作品鑑賞中の在席者の身体の動作に基づく体動を検知する体動検知手段と、前記座席に設置され作品鑑賞中の前記在席者の心拍または呼吸などの小さな体動による生体信号を検知する少なくとも一つの生体信号検知手段と、前記体動検知手段と前記生体信号検知手段の出力信号に基づき作品鑑賞中の所定の閾値以上または以下の体動の発生、心拍数の上昇あるいは呼吸の乱れ、または安定した波形の発生の累積時間を算出する演算手段を備え、前記演算手段は興味度合いを体動量として算出してその結果を表示手段により表示する在席装置。
【請求項２】
座席、体動検知手段および生体信号検知手段を複数の劇場や映画館などに設置し、演算手段による演算結果を有線または無線で集計センターなどに設置された表示手段に送信する通信手段を有する請求項１記載の在席装置。
【発明の詳細な説明】
【技術分野】
【０００１】
本発明は映画やビデオなどの作品の内容が観客に対してどれだけ興味のあるものかを作品の発売前に客観的に予測する在席装置に関するものである。
【背景技術】
【０００２】
映画やビデオの新しい作品の発売に当たっては、事業者は観客にとってこれらの作品のどの部分が面白いのか、また、作品全体が興味のあるものになっているのかどうかを客観的に知りたいところである。というのは、そのことが予めわかっておれば、今後の作品制作の参考になり、作品の発売規模や事前の広告のやり方などにも大いに参考になるからである。そのため、従来から発売にあたっては、過去の好評を博した作品を踏襲したり、事前に試写会を開いて作品の評判を聞くなどの方法がとられていた。
【発明の開示】
【発明が解決しようとする課題】
【０００３】
しかしながら、最近では観客の好みが多様化してきており、上記従来の方法では、どのような作品が好評を得るのかが事業者自身把握しにくくなってきている。すなわち、映画やビデオの制作の専門家が過去に好評を博した作品を踏襲した新作を作っても、観客から既にあきられてしまっていて失敗に終わることが多い。また、試写会などを開いて事前に新作の評判を聞いても、どの部分が面白かったかなど客観的な評価を得ることはむずかしいという課題があった。
【０００４】
本発明は上記課題を解決するもので、観客が作品に対して非常に興味を覚えるとき、「クギ付けになる」、「胸がドキドキする」、「息をのむ」などという言葉が示す通り、身体の無意識な動き（以下体動という）が一時的に停止するとともに、心拍や呼吸に大きな変化が現れる。そのため、観客の作品鑑賞中の自然な身体の動きや心拍または呼吸などの生体信号を検知し、その結果を表示することによって、観客の作品に対する興味の度合を客観的に算出、表示する。そして、この興味の度合を知ることを通して、今後の作品制作の参考にしたり、新作の映画やビデオなどの売行きを予め予測し、事業者が作品の発売規模や事前の広告のやり方を合理的に行うための支援にすることを目的としたものである。
【課題を解決するための手段】
【０００５】
本発明は上記目的を達成するため、映画やビデオ等の作品を鑑賞可能な座席に設置され作品鑑賞中の在席者の身体の動作に基づく体動を検知する体動検知手段と、前記座席に設置され作品鑑賞中の前記在席者の心拍または呼吸などの小さな体動による生体信号を検知する少なくとも一つの生体信号検知手段と、前記体動検知手段と前記生体信号検知手段の出力信号に基づき作品鑑賞中の所定の閾値以上または以下の体動の発生、心拍数の上昇あるいは呼吸の乱れ、または安定した波形の発生の累積時間を算出する演算手段を備え、前記演算手段は興味度合いを体動量として算出してその結果を表示手段により表示するもので、表示手段の表示情報に基づき前記在席者が前記作品のどの部分で興味を抱いたかを評価することが可能なものである。
【発明の効果】
【０００６】
以上の説明から明らかのように、本発明の在席装置によれば、次の効果が得られる。
【０００７】
映画やビデオ等の作品を鑑賞可能な座席に設置された体動検知手段と、生体信号検知手段により作品鑑賞中の観客の体動と生体信号を検知し、作品鑑賞中の所定の閾値以上または以下の体動の発生、心拍数の上昇あるいは呼吸の乱れ、または安定した波形の発生の累積時間を算出する演算手段を備え、前記演算手段は興味度合いを体動量として算出してその結果を表示手段により表示するもので、
（１）観客が作品のどの部分で興味を持ったかを知ることができ、映画やビデオの作品の制作者にとって、今後の制作の参考にすることができる。
【０００８】
（２）作品鑑賞中の全時間に渡って観客の興味の度合を知ることができ、事業者にとって作品に対する合理的な発売数や広告のやり方が可能である。
【発明を実施するための最良の形態】
【０００９】
本発明は上記構成によって、座席に設置された体動検知手段が作品鑑賞中の在席者の体動を検知する。さらに作品鑑賞中前記在席者の心拍または呼吸などの小さな体動を生体信号検知手段によって検知する。検知された体動信号や心拍信号、呼吸信号に基づき作品鑑賞中の所定の閾値以上または以下の体動の発生、心拍数の上昇あるいは呼吸の乱れ、または安定した波形の発生の累積時間を算出する演算手段を備え、前記演算手段は興味度合いを体動量として算出してその結果を表示手段により表示することにより、前記在席者が前記作品のどの部分で興味を抱いたかを評価することができる。
【実施例】
【００１０】
以下、本発明の一実施例を図面に基づいて説明する。
【００１１】
図１において、１は映画館や劇場などの施設に設置された座席で、座面２の中のクッション材（図示せず）と表布３の間には体動検知手段４が設けられている。また、心拍や呼吸などの生体信号を検出しやすいように、人体の心臓や肺に近い位置である座席１の背もたれ部分５の中のクッション材（図示せず）と背もたれ部分の表布６との間には生体信号検知手段７が設置されている。体動検知手段４および生体信号検知手段７は得られた信号の処理を行うため、座面２の下に設置された制御ボックス８にそれぞれ電気的に接続されている。
【００１２】
次に、図２を用いて体動検知手段４、生体信号検知手段７、および制御ボックス８の構成を説明する。図において、体動検知手段４および生体信号検知手段７は圧電素子によって構成されているもので、ポリフッ化ビニリデン（ＰＶＤＦ）などの高分子圧電材料を薄膜状にし、両面に可とう性の電極膜を付着させたものをテープ状に成形したものである。制御ボックス８は第一の信号処理手段９および第二の信号処理手段１０を内蔵している。第一の信号処理手段９は、体動検知手段４からの体動信号に対して、体動によって生じる４〜５Ｈｚの周波数成分のみを通過させる第一のローパスフィルタ１１、第一の増幅器１２、第一の積分器１３、第一のＡＤ変換器１４を有する。第二の信号処理手段１０は、生体信号検知手段７から心拍または呼吸などの生体信号に対して生じる信号に対して１Ｈｚ程度の低い周波数成分のみを通過させる第二のローパスフィルタ１５、第二の増幅器１６、第二の積分器１７、第二のＡＤ変換器１８を有する。これらを含む制御ボックス８は演算手段１９、表示手段２０に接続されている。
【００１３】
上記構成において、座席１の上に人体が存在する場合、体動検知手段４および生体信号検知手段７には、人体の手足の動きおよび心拍・呼吸などの体動により変形を受け、圧電効果による微小な電圧が発生する。そして発生した電圧出力のうち所定の周波数成分のみが制御ボックス４の中の第一または第二の、ローパスフィルタ１１または１５を通過し、増幅器１２または１６で増幅された後、積分器１３または１７により積分される。
【００１４】
積分器１３または１７を通過した後の一般的な出力信号の例を図３に示す。図３（Ａ）に示すように、人体が座席１に対して着席または離席するような大きな体動を行った場合には大きな出力が生じる。また、手足の動きなどの体動の場合には、（Ｂ）に示すように、その動きの大きさに応じたレベルの出力が得られる。一方、静止状態の場合には、（Ｃ）に示すように、人体の心拍、呼吸に基づく低いレベルの出力が継続する。この低いレベルの出力信号は主に背もたれ部分５の中に設置した生体信号検知手段７から得られる。人体が座席１に不在であれば（Ｄ）に示すように、信号の出力は０となる。これらの信号パターンに対して演算手段１９において図３に示すように、閾値Ｖを設定しておけば、Ｖ以上の信号が得られるときは、体幹部や手足の動きなど大きな体動が生じていることになる。Ｖ以下であれば、身体の動きが静止し、心拍・呼吸に基づく小さな体動が生じている。そして体動検知手段４からのこれらの体動信号は各々の大きさに応じてＡＤ変換器１４または１８でデジタル量に変換され、演算手段１９において体動量として算出され、表示手段２０で表示される。
【００１５】
上記の基本的な体動パターンに対し、座席１に着席して作品を鑑賞中の観客の体動が様々な形で観測される。図４において、時刻Ｔに至るまでに見られるように、観客に対して作品が退屈であったり、興味の持てないものであった場合には、身体の動きによる体動が頻繁に発生し、座面２に設置した体動検知手段からは閾値Ｖ以上の大きな出力が得られる。一方、精神状態は興奮状態ではないため、生体信号検知手段７からは安定した心拍または呼吸による波形が得られる。ところが、時刻Ｔ以降にしめすように、作品が観客をひきつけるような状態に至れば、体動が静止するため、体動検知手段４からの出力はＶ以下の小さい値が継続する。そして、生体信号検知手段７からは心拍数が上昇したり、呼吸が乱れたことを示す波形が得られる。したがって、これらの信号を演算手段１９で演算し、表示手段２０で表示することにより、観客が作品のどの部分でどれほど興味を抱いたかを評価することができる。また演算手段１９によって、作品鑑賞中の全時間に渡って体動の閾値がＶ以下を記録した体動静止累積時間、心拍数が上昇した累積時間、あるいは、呼吸に乱れを生じた累積時間などを算出し、いろいろな作品間で比較すれば、作品が観客にとって興味深いものであったかどうかを客観的に知ることができる。
【００１６】
尚、実施例では演算手段１９と表示手段２０を有線で接続し、演算結果を示すものとしたが体動検知手段４、生体信号検知手段７、制御ボックス４および演算手段を各地の劇場や映画館などに設置し、無線の通信手段（図示せず）を用いて演算結果を集計センターなどに設置された表示手段２０に通信すれば、リアルタイムで作品の評価を行うことも可能である。
【図面の簡単な説明】
【００１７】
【図１】本発明の一実施例における在席装置の外観斜視図
【図２】同装置の制御ブロック図
【図３】同装置における信号処理手段の積分器からの出力波形図
【図４】同装置における演算手段からの出力波形図
【符号の説明】
【００１８】
１  座席
４  体動検知手段
７  生体信号検知手段
８  制御ボックス
【図１】
0003613278.tif 000002
【図２】
0003613278.tif 000003
【図３】
0003613278.tif 000004
【図４】
0003613278.tif 000005